(57)【要約】【課題】  諸収差、特に色収差を良好に補正し画面全域で良好な画質を得ることが可能で、かつオートフォーカス機構を省略することなく製品の小型化を達成した、サイズが交換レンズに適した大口径レンズを提供する。【解決手段】  物体側から順に、正の屈折力を有する第１レンズ群Ｇ１と、正の屈折力を有する第２レンズ群Ｇ２からなり、前記第１レンズ群Ｇ１は、正の屈折力のＬｐ１と、正の屈折力のＬｐ２と、負の屈折力のレンズを有し、無限遠物体から近距離物体へのフォーカシングに際して、前記第１レンズ群Ｇ１を像面に対して固定とし、前記第２レンズ群Ｇ２を光軸に沿って像面側から物体側へ移動し、所定の条件を満足することを特徴とする大口径レンズとした。【選択図】図１
2018005099.tif 000002
【特許請求の範囲】
【請求項１】
物体側から順に、正の屈折力を有する第１レンズ群Ｇ１と、正の屈折力を有する第２レンズ群Ｇ２からなり、
前記第１レンズ群Ｇ１は、正の屈折力のＬｐ１と、正の屈折力のＬｐ２と、負の屈折力のレンズを有し、
無限遠物体から近距離物体へのフォーカシングに際して、前記第１レンズ群Ｇ１を像面に対して固定とし、前記第２レンズ群Ｇ２を光軸に沿って像面側から物体側へ移動し、
以下に示す条件式を満足することを特徴とする大口径レンズ。
（１）  ＰｇＦＬｐ１／νｄＬｐ１＜０．００８５
（２）  ０．０２５０＜ＰｇＦＬｐ２／νｄＬｐ２
（３）  ０．０１０＜（ｆＬｐ２／νｄＬｐ２）／ｆ１＜０．０７０
νｄＬｐ１：第１レンズ群Ｇ１でｄ線のアッベ数が最も大きな正の屈折力のレンズのアッベ数
ＰｇＦＬｐ１：第１レンズ群Ｇ１でｄ線のアッベ数が最も大きな正の屈折力のレンズのｇ線とＦ線の部分分散比
νｄＬｐ２：第１レンズ群Ｇ１でｄ線のアッベ数が最も小さな正の屈折力のレンズのアッベ数
ＰｇＦＬｐ２：第１レンズ群Ｇ１でｄ線のアッベ数が最も小さな正の屈折力のレンズのｇ線とＦ線の部分分散比
ｆ１：第１レンズ群Ｇ１の焦点距離
ｆＬｐ２：第１レンズ群Ｇ１でｄ線のアッベ数が最も小さな正の屈折力のレンズの焦点距離
【請求項２】
以下の条件式を満足する負の屈折力のレンズＬｍｊ（ｊは１以上の整数）を第１レンズ群Ｇ１に１つ以上有することを特徴とする請求項１に記載の大口径レンズ。
（４）  ΔＰｇＦＬｍｊ＜０．００００
（５）  １．４０＜νｄＬｐ１／νｄＬｍｊ＜３．２０
ΔＰｇＦＬｍｊ：第１レンズ群Ｇ１に含まれる負の屈折力のレンズＬｍｊのｇ線とＦ線の異常部分分散性
νｄＬｍｊ：第１レンズ群Ｇ１に含まれる負の屈折力のレンズＬｍｊのアッベ数
【請求項３】
前記第１レンズ群Ｇ１に含まれる正の屈折力のレンズのすべてについて、以下の条件式を満足することを特徴とする請求項１又は２に記載の大口径レンズ。
（６）  ０．０００１０＜ΔＰｇＦＧ１ａｖ／νｄＧ１ａｖ＜０．０００７０
ΔＰｇＦＧ１ａｖ：第１レンズ群Ｇ１に含まれる正の屈折力のレンズのｇ線とＦ線の異常部分分散性の平均値
νｄＧ１ａｖ：第１レンズ群Ｇ１に含まれる正の屈折力のレンズのｄ線のアッベ数の平均値
【請求項４】
前記第２レンズ群Ｇ２は物体側から順に、第２Ａレンズ群Ｇ２Ａと、開口絞りＳと、第２Ｂレンズ群Ｇ２Ｂからなり、
前記第２Ａレンズ群Ｇ２Ａの最も像面側のレンズは像面側に凹面を向けており、
前記第２Ｂレンズ群Ｇ２Ｂは、物体側から順に、最も物体側の物体側に凹面を向けた屈折面Ｓｍ１と、物体側に凹面を向けた屈折面Ｓｍ２を有し、
以下の条件式を満足することを特徴とする請求項１乃至３のいずれかに記載の大口径レンズ。
（７）  ０．５０＜（１／ＲＳｍ２）／（φＳｍ１＋φＳｍ２）＜０．９０
ＲＳｍ２：屈折面Ｓｍ２の曲率半径
φＳｍ１：屈折面Ｓｍ１の屈折力
φＳｍ２：屈折面Ｓｍ２の屈折力
【請求項５】
前記第１レンズ群Ｇ１の最も物体側において、物体側に凸面を向けた正の屈折力のレンズを有することを特徴とする請求項１乃至４のいずれかに記載の大口径レンズ。
【請求項６】
前記第２レンズ群Ｇ２は、少なくとも１つの非球面レンズを有することを特徴とする請求項１乃至５のいずれかに記載に大口径レンズ。
【発明の詳細な説明】
【技術分野】
【０００１】
本発明は、特にデジタルカメラ、銀塩カメラ及びビデオカメラ等の撮影装置に好適な撮影レンズのうち、特に球面収差や軸上色収差等の諸収差を良好に補正した大口径レンズに関するものである。
【背景技術】
【０００２】
近年、デジタルカメラをはじめとする撮影装置の高画素化に伴い、諸収差が十分良好に補正された高い光学性能を有する光学系が求められている。
【０００３】
特に、合焦部分の前後のボケを生かせる高い解像度の画像への要求が高まっており、そうした画像を得るため、Ｆ値が小さな大口径レンズの高性能化が図られている。
【０００４】
また、デジタルカメラをはじめとする撮影装置に用いられる光学系は、レンズ全長が短い事が要望されている。
【０００５】
一般的に、光学系全体の小型化を図るほど諸収差、特に軸上色収差及び倍率色収差が多く発生し、光学性能が低下する傾向にある。
【０００６】
色収差の補正には、異常部分分散性を持った低分散の光学材料で構成された正の屈折力のレンズと高分散の光学材料で構成された負の屈折力のレンズを用いて色収差補正がなされている。光学材料として蛍石のような材料を用いた光学系では、レンズ全長を比較的長めに設定した場合、色収差の補正は容易に行うことが可能である。しかしながら、レンズ全長の短縮化を図ると色収差が多く発生し、これを良好に補正することが困難となる。
【０００７】
この原因は、蛍石等の材料が持つ低分散で異常部分分散性が大きいという特性を利用することが、色収差の発生を単に軽減するに留まるからである。レンズ全長の短縮に伴って悪化した光学系の色収差を補正するためには、例えば、蛍石のようなアッベ数の大きい低分散ガラスを使ったレンズ系では、所望の屈折力を得るために曲率を大きくする必要がある。このため、色収差と、屈折力を大きくしたことによって発生する球面収差、コマ収差、非点収差などの諸収差の双方を良好に補正するのが困難となる。
【先行技術文献】
【特許文献】
【０００８】
【特許文献１】特許第３２５４２３９号公報
【特許文献２】特開２０１５−９６９１５号公報
【特許文献３】特許第５３９５７００号公報
【発明の概要】
【発明が解決しようとする課題】
【０００９】
特許文献１記載の大口径レンズはフローティングフォーカスを行うことで、最短撮影倍率が−１／７倍程度の近距離物体までフォーカシングする際の性能変動を抑制している。しかしながら、レンズ系全体を光軸に沿って繰出しながらフォーカシングを行うため、オートフォーカスで駆動させる重量が増加するためフォーカシングの高速化が困難である、という課題がある。
【００１０】
特許文献２記載の大口径レンズは３群構成で、１群と３群を固定し、２群によるインナーフォーカスを採用することでオートフォーカスの高速化を実現している。また、防振群を３群内に設けることで利便性を高めている。しかしながら、色収差の補正が十分でなく、またＦ値がＦ１．８程度と暗い、という課題がある。
【００１１】
特許文献３記載の大口径レンズは、リアフォーカス方式を採用し、オートフォーカスの高速化と諸収差の良好な補正を行っている。しかしながら、軸上色収差が十分に補正されていないため、ハイコントラストな被写体を撮影した場合、ボケの周縁部に色つきが発生する、という課題がある。
【００１２】
本発明はこのような状況に鑑みてなされたものであり、諸収差、特に色収差を良好に補正し画面全域で良好な画質を得ることが可能で、かつオートフォーカス機構を省略することなく製品の小型化を達成した、サイズが交換レンズに適した大口径の光学系を提供することを目的とする。
【課題を解決するための手段】
【００１３】
上記の課題を解決するため、本発明の第１の発明に係る大口径レンズは、物体側から順に、正の屈折力を有する第１レンズ群Ｇ１と、正の屈折力を有する第２レンズ群Ｇ２からなり、前記第１レンズ群Ｇ１は、正の屈折力のＬｐ１と、正の屈折力のＬｐ２と、負の屈折力のレンズを有し、無限遠物体から近距離物体へのフォーカシングに際して、前記第１レンズ群Ｇ１を像面に対して固定とし、前記第２レンズ群Ｇ２を光軸に沿って像面側から物体側へ移動し、以下に示す条件式を満足することを特徴とする。
（１）  ＰｇＦＬｐ１／νｄＬｐ１＜０．００８５
（２）  ０．０２５０＜ＰｇＦＬｐ２／νｄＬｐ２
（３）  ０．０１０＜（ｆＬｐ２／νｄＬｐ２）／ｆ１＜０．０７０
νｄＬｐ１：第１レンズ群Ｇ１でｄ線のアッベ数が最も大きな正の屈折力のレンズのアッベ数
ＰｇＦＬｐ１：第１レンズ群Ｇ１でｄ線のアッベ数が最も大きな正の屈折力のレンズのｇ線とＦ線の部分分散比
νｄＬｐ２：第１レンズ群Ｇ１でｄ線のアッベ数が最も小さな正の屈折力のレンズのアッベ数
ＰｇＦＬｐ２：第１レンズ群Ｇ１でｄ線のアッベ数が最も小さな正の屈折力のレンズのｇ線とＦ線の部分分散比
ｆ１：第１レンズ群Ｇ１の焦点距離
ｆＬｐ２：第１レンズ群Ｇ１でｄ線のアッベ数が最も小さな正の屈折力のレンズの焦点距離
【００１４】
また、本発明の第２の発明に係る大口径レンズは、第１の発明においてさらに、以下の条件式を満足する負の屈折力のレンズＬｍｊ（ｊは１以上の整数）を第１レンズ群Ｇ１に１つ以上有することを特徴とする。
（４）  ΔＰｇＦＬｍｊ＜０．００００
（５）  １．４０＜νｄＬｐ１／νｄＬｍｊ＜３．２０
ΔＰｇＦＬｍｊ：第１レンズ群Ｇ１に含まれる負の屈折力のレンズＬｍｊのｇ線とＦ線の異常部分分散性
νｄＬｍｊ：第１レンズ群Ｇ１に含まれる負の屈折力のレンズＬｍｊのアッベ数
【００１５】
また、本発明の第３の発明に係る大口径レンズは、第１の発明又は第２の発明においてさらに、前記第１レンズ群Ｇ１に含まれる正の屈折力のレンズのすべてについて、以下の条件式を満足することを特徴とする。
（６）  ０．０００１０＜ΔＰｇＦＧ１ａｖ／νｄＧ１ａｖ＜０．０００７０
ΔＰｇＦＧ１ａｖ：第１レンズ群Ｇ１に含まれる正の屈折力のレンズのｇ線とＦ線の異常部分分散性の平均値
νｄＧ１ａｖ：第１レンズ群Ｇ１に含まれる正の屈折力のレンズのｄ線のアッベ数の平均値
【００１６】
また、本発明の第４の発明に係る大口径レンズは、第１の発明乃至第３の発明においてさらに、前記第２レンズ群Ｇ２は物体側から順に、第２Ａレンズ群Ｇ２Ａと、開口絞りＳと、第２Ｂレンズ群Ｇ２Ｂからなり、前記第２Ａレンズ群Ｇ２Ａの最も像面側のレンズは像面側に凹面を向けており、前記第２Ｂレンズ群Ｇ２Ｂは、物体側から順に、最も物体側の物体側に凹面を向けた屈折面Ｓｍ１と、物体側に凹面を向けた屈折面Ｓｍ２を有し、以下の条件式を満足することを特徴とする。
（７）  ０．５０＜（１／ＲＳｍ２）／（φＳｍ１＋φＳｍ２）＜０．９０
ＲＳｍ２：屈折面Ｓｍ２の曲率半径
φＳｍ１：屈折面Ｓｍ１の屈折力
φＳｍ２：屈折面Ｓｍ２の屈折力
【００１７】
また、本発明の第５の発明に係る大口径レンズは、第１の発明乃至第４の発明においてさらに、前記第１レンズ群Ｇ１の最も物体側において、物体側に凸面を向けた正の屈折力のレンズを有することを特徴とする。
【００１８】
また、本発明の第６の発明に係る大口径レンズは、第１の発明乃至第５の発明においてさらに、前記第２レンズ群Ｇ２は、少なくとも１つの非球面レンズを有することを特徴とする。
【発明の効果】
【００１９】
本発明によれば、諸収差、特に色収差を良好に補正し画面全域で良好な画質を得ることが可能で、かつオートフォーカス機構を省略することなく製品の小型化を達成した、サイズが交換レンズに適した大口径レンズを提供することができる。
【図面の簡単な説明】
【００２０】
【図１】本発明の実施例１に係る無限遠合焦時のレンズ構成図である。
【図２】本発明の実施例１に係る無限遠合焦時の縦収差図である。
【図３】本発明の実施例１に係る撮影距離８４９ｍｍにおける縦収差図である。
【図４】本発明の実施例１に係る無限遠合焦時の横収差図である。
【図５】本発明の実施例１に係る撮影距離８４９ｍｍにおける横収差図である。
【図６】本発明の実施例２に係る無限遠合焦時のレンズ構成図である。
【図７】本発明の実施例２に係る無限遠合焦時の縦収差図である。
【図８】本発明の実施例２に係る撮影距離８４４ｍｍにおける縦収差図である。
【図９】本発明の実施例２に係る無限遠合焦時の横収差図である。
【図１０】本発明の実施例２に係る撮影距離８４４ｍｍにおける横収差図である。
【図１１】本発明の実施例３に係る無限遠合焦時のレンズ構成図である。
【図１２】本発明の実施例３に係る無限遠合焦時の縦収差図である。
【図１３】本発明の実施例３に係る撮影距離８４５ｍｍにおける縦収差図である。
【図１４】本発明の実施例３に係る無限遠合焦時の横収差図である。
【図１５】本発明の実施例３に係る撮影距離８４５ｍｍにおける横収差図である。
【図１６】本発明の実施例４に係る無限遠合焦時のレンズ構成図である。
【図１７】本発明の実施例４に係る無限遠合焦時の縦収差図である。
【図１８】本発明の実施例４に係る撮影距離８４８ｍｍにおける縦収差図である。
【図１９】本発明の実施例４に係る無限遠合焦時の横収差図である。
【図２０】本発明の実施例４に係る撮影距離８４８ｍｍにおける横収差図である。
【図２１】本発明の実施例５に係る無限遠合焦時のレンズ構成図である。
【図２２】本発明の実施例５に係る無限遠合焦時の縦収差図である。
【図２３】本発明の実施例５に係る撮影距離８４１ｍｍにおける縦収差図である。
【図２４】本発明の実施例５に係る無限遠合焦時の横収差図である。
【図２５】本発明の実施例５に係る撮影距離８４１ｍｍにおける横収差図である。
【図２６】本発明の実施例６に係る無限遠合焦時のレンズ構成図である。
【図２７】本発明の実施例６に係る無限遠合焦時の縦収差図である。
【図２８】本発明の実施例６に係る撮影距離１１６４ｍｍにおける縦収差図である。
【図２９】本発明の実施例６に係る無限遠合焦時の横収差図である。
【図３０】本発明の実施例６に係る撮影距離１１６４ｍｍにおける横収差図である。
【発明を実施するための形態】
【００２１】
以下、本発明に係る大口径レンズの実施例について説明する。
【００２２】
なお、本実施例において、ｇ線（波長４３５．８ｎｍ）、Ｆ線（４８６．１ｎｍ）、ｄ線（５８７．６ｎｍ）、Ｃ線（６５６．３ｎｍ）に対する材料の屈折率を、それぞれＮｇ、Ｎｄ、ＮＦ、ＮＣと示す。
【００２３】
また、アッベ数νｄ、部分分散比ＰｇＦ、異常部分分散性ΔＰｇＦは、以下の式により導かれることとする。
νｄ＝（Ｎｄ−１）／（ＮＦ−ＮＣ）
ＰｇＦ＝（Ｎｇ−ＮＦ）／（ＮＦ−ＮＣ）
ΔＰｇＦ＝ＰｇＦ−０．６４８３３＋０．００１８０×νｄ
【００２４】
本実施例の大口径レンズは、物体側から順に、正の屈折力を有する第１レンズ群Ｇ１と、正の屈折力を有する第２レンズ群Ｇ２からなり、前記第１レンズ群Ｇ１は、正の屈折力のＬｐ１と、正の屈折力のＬｐ２と、負の屈折力のレンズを有し、無限遠物体から近距離物体へのフォーカシングに際して、前記第１レンズ群Ｇ１を像面に対して固定とし、前記第２レンズ群Ｇ２を光軸に沿って像面側から物体側へ移動し、以下に示す条件式を満足することを特徴とする。
（１）  ＰｇＦＬｐ１／νｄＬｐ１＜０．００８５
（２）  ０．０２５０＜ＰｇＦＬｐ２／νｄＬｐ２
（３）  ０．０１０＜（ｆＬｐ２／νｄＬｐ２）／ｆ１＜０．０７０
νｄＬｐ１：第１レンズ群Ｇ１でｄ線のアッベ数が最も大きな正の屈折力のレンズのアッベ数
ＰｇＦＬｐ１：第１レンズ群Ｇ１でｄ線のアッベ数が最も大きな正の屈折力のレンズのｇ線とＦ線の部分分散比
νｄＬｐ２：第１レンズ群Ｇ１でｄ線のアッベ数が最も小さな正の屈折力のレンズのアッベ数
ＰｇＦＬｐ２：第１レンズ群Ｇ１でｄ線のアッベ数が最も小さな正の屈折力のレンズのｇ線とＦ線の部分分散比
ｆ１：第１レンズ群Ｇ１の焦点距離
ｆＬｐ２：第１レンズ群Ｇ１でｄ線のアッベ数が最も小さな正の屈折力のレンズの焦点距離
【００２５】
本実施例のレンズ構成では、無限遠物体から近距離物体へのフォーカシングに際して、第１レンズ群Ｇ１を像面に対して固定とし、第１レンズ群Ｇ１と比較してレンズ径及び重量が小さな第２レンズ群Ｇ２を光軸に沿って像面側から物体側へ移動することとしているため、フォーカシングの高速化と、レンズ鏡筒の機構の単純化を容易に行うことが可能となる。
【００２６】
条件式（１）乃至（３）は、第１レンズ群Ｇ１に含まれる正の屈折力のレンズについて、これらに用いられる材料のアッベ数と部分分散比との比、また、これらの焦点距離を規定している。条件式（１）乃至（３）を満たすことで、光学系全体の色収差を良好に補正しつつ球面収差等の諸収差をバランスよく補正することが可能となる。
【００２７】
一般的な光学材料の場合、（部分分散比）／（アッベ数）の比は０．００８から０．０２５程度となり、この範囲から外れたものは異常部分分散性ΔＰｇＦの絶対値が大きな材料ということができる。
【００２８】
Ｆ値の小さな明るいレンズは被写界深度が浅く色収差が非常に目立ちやすい。そのため、色収差をより良好に補正するためには条件式（１）を満たす低分散で部分分散比の小さな材料を正の屈折力のレンズの材料として用いることが望ましい。
【００２９】
条件式（１）の上限値を超えると、軸上色収差が大きくなりこれを全系で補正することが困難となる。
【００３０】
なお、条件式（１）について、上記の効果をより確実にするために、上限値を０．００８０とすることが好ましい。また、その効果をより確実とするために、上限値を０．００７２とするとなお良い。
【００３１】
ここで、低分散な材料を用いた正の屈折力のレンズだけで色収差を補正しようとした場合、これらの材料は屈折率が低いため、所望の屈折力を得ようとするためにはレンズ面の曲率を大きくしなければならず、その結果、球面収差や像面湾曲等が増大してしまう。
【００３２】
また、色消し条件を満たすためには、正の屈折力のレンズと組み合わせて使用する負の屈折力のレンズについても、正の屈折力のレンズの材料が低分散側にシフトすることに伴って低分散側にシフトする必要がある。低分散な材料は一般的に屈折率が低いため、正の屈折力のレンズのレンズ面の曲率を大きくせざるを得ず、これにより正の屈折力のレンズで過剰に発生した球面収差や像面湾曲を打ち消すために、負の屈折力のレンズの曲率を大きくする必要があり、その結果、コマ収差やサジタルコマフレアが増大してしまう。
【００３３】
したがって、色収差を補正しつつ、さらに、諸収差も良好に補正するためには、屈折力を分担するための正の屈折力のレンズが必要となる。そこで、屈折力を分担する正の屈折力のレンズは、条件式（２）を満たすような、高分散で部分分散比の大きな材料であることが望ましい。
【００３４】
一般的に光学材料は、短波長側の屈折率が長波長側の屈折率よりも高くなる。また、短波長側になるほど波長の変化に対する屈折率変化は大きくなる。この屈折率と波長の曲線の変化は、アッベ数νｄの小さな、分散の大きい材料（例えば重フリント系）、また、アッベ数の大きな、分散の小さな材料（例えば弗リン酸系）ほど大きくなり、部分分散比ＰｇＦが大きくなる傾向にある。
【００３５】
一般的な光学材料の部分分散比ＰｇＦは、アッベ数νｄの変化に対してほとんど一様な変化を示す。それに対し、異常部分分散性ΔＰｇＦが大きな材料では、アッベ数が同じでも一般の硝材に比べて短波長側の波長変化に対する屈折率変化が大きい。
【００３６】
部分分散比ＰｇＦがアッベ数νｄに対して変化が一様であるということは、Ｆ線〜Ｃ線の傾きに対するｇ線〜Ｆ線の屈折率変化の比率が一定であるということになる。そのため、Ｆ線〜Ｃ線の色収差を補正するためにレンズの屈折力を変化させると、一定の割合でｇ線〜Ｆ線の色収差も変化する。そのため、通常の硝材だけを組み合わせても、色収差を十分に補正することは困難である。
【００３７】
これに対して、異常部分分散性を持つ材料をレンズとして用いた場合、Ｆ線〜Ｃ線の傾きに対するｇ線〜Ｆ線の屈折率変化の比率が通常の硝材とは異なるため、色収差補正における自由度が大きく増し、全波長域に渡って色収差を良好に補正することができる。
【００３８】
また、蛍石や弗リン酸系のような低分散材料のみを用いて色収差と諸収差を良好に補正しようとすると、所望の屈折力を与えるためには低分散材料のレンズ枚数を増やすだけでなく、レンズの曲率を大きくする必要があり、光学系全体が大きく重くなってしまう。それに対し、アッベ数νｄが小さな分散の大きい光学材料は、一般的に屈折率ｎｄが大きいため、所望の屈折力を得るために必要な曲率も小さくてよい。そのため、良好な収差補正を行いつつ製品の小型化の面で高い効果が得られる。
【００３９】
ゆえに、条件式（２）の下限値を超えて、アッベ数が大きく部分分散比が小さくなると、良好な収差補正を行いつつ製品の小型化を実現することが困難となる。
【００４０】
なお、条件式（２）について、上記の効果をより確実にするために、下限値を０．０２６０とすることが好ましい。また、その効果をより確実とするために、下限値を０．０２７０とするとなお良い。
【００４１】
また、条件式（２）を満足する材料を用いた正の屈折力のレンズの焦点距離は、条件式（３）を満足することが望ましい。
【００４２】
全系で良好な色収差補正を行うためには、第１レンズ群Ｇ１内で発生する色収差を極力抑えることが重要となる。また、一般的にレンズ群の屈折力が強くなるほど必要となる色収差補正量は大きくなるが、色収差補正に用いるレンズ単体で発生する色収差量は、焦点距離が長くアッベ数が小さくなるほど大きくなる。条件式（３）は、良好な色収差補正を行うために必要な範囲を規定したものである。
【００４３】
条件式（３）の上限を超えて、第１レンズ群Ｇ１の焦点距離に対して、Ｌｐ２の焦点距離が長くなるか、または、アッベ数が小さくなると、必要な色収差補正量に対し過剰に補正を行ってしまうため、特にｇ線との２次スペクトルが補正できなくなり、これを全系で補正することが困難となる。
【００４４】
一方で、条件式（３）の下限を超えて、第１レンズ群Ｇ１の焦点距離に対して、Ｌｐ２の焦点距離が短くなるかアッベ数が大きくなると、色収差補正量が足りないため十分な色収差補正ができなくなり、これを全系で補正することが困難となる。また、Ｌｐ２の曲率を大きくしたことによってレンズの肉厚が増すため、全系の小型化・軽量化が困難となる。
【００４５】
なお、条件式（３）について、上記の効果をより確実にするために、下限値を０．０１３、上限値を０．０６５とすることが好ましい。
【００４６】
また、本実施例の大口径レンズは、以下の条件式を満足する負の屈折力のレンズＬｍｊ（ｊは１以上の整数）を第１レンズ群Ｇ１に１つ以上有することを特徴とする。
（４）  ΔＰｇＦＬｍｊ＜０．００００
（５）  １．４０＜νｄＬｐ１／νｄＬｍｊ＜３．２０
ΔＰｇＦＬｍｊ：第１レンズ群Ｇ１に含まれる負の屈折力のレンズＬｍｊのｇ線とＦ線の異常部分分散性
νｄＬｍｊ：第１レンズ群Ｇ１に含まれる負の屈折力のレンズＬｍｊのアッベ数
【００４７】
光学材料のアッベ数は常に正であるため、色消しを行うためには正と負の屈折力のレンズを組み合わせる必要がある。
【００４８】
条件式（４）乃至（５）は、第１レンズ群Ｇ１に含まれる負の屈折力のレンズに用いられる材料のアッベ数と異常部分分散性を規定する。これら条件式を満たすことで、全系の色収差を良好に補正しながら、諸収差を良好に補正することが可能となる。
【００４９】
２次スペクトルの補正も含む色消し条件を満足するためには、正の屈折力のレンズと負の屈折力のレンズのアッベ数の差を大きくし、部分分散比の差を小さくする必要がある。その際、効果的に色収差を補正するためには、正の屈折力のレンズだけでなく、負の屈折力のレンズにおいても異常部分分散性の強い材料を用いるのが望ましい。
【００５０】
特に、異常部分分散性ΔＰｇＦが負の値を持つ材料を用いるのが良い。そうすることで、部分分散比の差分を小さくすることが可能となる。この条件を示したのが条件式（４）である。
【００５１】
条件式（４）の上限を超え、異常部分分散性ΔＰｇＦが正の値を持つと、２次スペクトルを良好に補正することが困難になる。
【００５２】
条件式（５）の下限値を超えて、正の屈折力のレンズＬｐ１のアッベ数に対し負の屈折力のレンズＬｍｊのアッベ数を大きくすると、負の屈折力のレンズＬｍｊの曲率が大きくなるため、球面収差やコマ収差等が増大してしまい、これを全系で補正することが困難になる。
【００５３】
一方で、条件式（５）の上限を超えて、νｄＬｐ１とνｄＬｍｊの比が大きくなると、軸上色収差の補正には有利となるが、上限値を超えるほどνｄＬｐ１が大きくなると材料の屈折率も小さくなるため、正の屈折力のＬｐ１の曲率を大きくしなければならず、その結果、球面収差が過剰に発生してしまい、これを全系で補正するのが困難となる。また、上限値を超えるほどνｄＬｍｊが小さくなると、負の屈折力のレンズＬｍｊの曲率が小さくなるため、非点収差が補正不足となり、これを全系で補正することが困難となる。
【００５４】
なお、条件式（５）について、上記の効果をより確実にするために、下限値を１．５０、上限値を３．００とすることが好ましい。
【００５５】
また、本実施例の大口径レンズは、前記第１レンズ群Ｇ１に含まれる正の屈折力のレンズのすべてについて、以下の条件式を満足することを特徴とする。
（６）  ０．０００１０＜ΔＰｇＦＧ１ａｖ／νｄＧ１ａｖ＜０．０００７０
ΔＰｇＦＧ１ａｖ：第１レンズ群Ｇ１に含まれる正の屈折力のレンズのｇ線とＦ線の異常部分分散性の平均値
νｄＧ１ａｖ：第１レンズ群Ｇ１に含まれる正の屈折力のレンズのｄ線のアッベ数の平均値
【００５６】
球面収差などの諸収差を良好に補正しつつ、色収差を抑えようとした場合、正の屈折力のレンズに用いる材料は、屈折率が高く、かつ分散が小さいことが理想的である。しかしながら、一般的な光学材料の場合、アッベ数を大きくしようとすれば屈折率が低下し、屈折率を高くしようとすればアッベ数が小さくなる傾向にある。そのため、色収差と、球面収差等の諸収差のバランスをとろうとする場合、正の屈折力のレンズとしてＴＡＦ１（ＨＯＹＡ株式会社製の商品名、ｄ線の屈折率：１．７７２５０、ｄ線のアッベ数：４９．６２）のような材料を多く用いる傾向にある。
【００５７】
条件式（６）は、第１レンズ群Ｇ１に含まれる正の屈折力のレンズに用いられる材料の最適な条件を規定したものである。この条件を満たすことで、色収差を良好に補正しつつ、球面収差などの諸収差を良好に補正することが可能となる。
【００５８】
条件式（６）の上限を超えて、ｇ線とＦ線の異常部分分散性の平均値が大きく、または、ｄ線のアッベ数の平均値が小さくなると、２次スペクトルの補正は有利となるが、アッベ数が小さくなることで１次スペクトルの補正が困難となり、第１レンズ群Ｇ１で色収差の補正を十分に行うことができなくなる。また、他のレンズ群で色収差を抑えたとしても球面収差や非点収差などの諸収差のバランスが崩れるため、画面全域で良好な画質を得ることが困難になる。
【００５９】
条件式（６）の下限を超えて、ｇ線とＦ線の異常部分分散性の平均値が小さく、または、ｄ線のアッベ数の平均値が大きくなると、１次スペクトルの補正には有利となるが、異常部分分散性が小さくなることによるｇ線との２次スペクトルを十分に補正することが困難となり、第１レンズ群Ｇ１で色収差の補正を十分に行うことができなくなる。また、一般的に、正の屈折力に用いられるアッベ数の大きな材料は屈折率が低いため、所望な屈折力を各レンズ面で得るために曲率を大きくしなければならず、球面収差や像面湾曲が増大してしまい、これを全系で補正することが困難になる。
【００６０】
なお、条件式（６）について、上記の効果をより確実にするために、下限値を０．０００２０に、上限値を０．０００６０とすることが好ましい。
【００６１】
本実施例の大口径レンズは、前記第２レンズ群Ｇ２は物体側から順に、第２Ａレンズ群Ｇ２Ａと、開口絞りＳと、第２Ｂレンズ群Ｇ２Ｂからなり、前記第２Ａレンズ群Ｇ２Ａの最も像面側のレンズは像面側に凹面を向けており、前記第２Ｂレンズ群Ｇ２Ｂは、物体側から順に、最も物体側の物体側に凹面を向けた屈折面Ｓｍ１と、物体側に凹面を向けた屈折面Ｓｍ２を有し、以下の条件式を満足することを特徴とする。
（７）  ０．５０＜（１／ＲＳｍ２）／（φＳｍ１＋φＳｍ２）＜０．９０
ＲＳｍ２：屈折面Ｓｍ２の曲率半径
φＳｍ１：屈折面Ｓｍ１の屈折力
φＳｍ２：屈折面Ｓｍ２の屈折力
【００６２】
なお、屈折力φは、ある屈折面において、物体側の媒質のｄ線の屈折率ｎｄｏｂｊと、像面側のｄ線の屈折率ｎｄｉｍｇと、屈折面の曲率半径Ｒを用いて表されるものであり、以下の式で定義される。
φ＝（ｎｄｉｍｇ−ｎｄｏｂｊ）／Ｒ
【００６３】
一般的に、絞りに対して対称にレンズを配置した所謂ダブルガウスタイプの構成においては、球面収差や非点収差を良好に補正できる一方で、フォーカシングに伴うコマ収差の補正が困難であるという特徴がある。これは、無限遠から近距離にフォーカスレンズ群を移動させたときに、物体側に強い凹面を向けた面における軸外マージナル光線の入射光線高が上がり、光線の入射角度がきつくなることでアンダーのコマフレアを大きく発生させるためである。
【００６４】
コマ収差の低減を図るためには、物体側に強い凹面を向けた面の曲率を小さくすれば良い。曲率を小さくするためには、材料の高屈折率化や屈折力の分担を行う必要があるが、高屈折率化による方法では、この面で補正している非点収差の補正が不足するため好ましくない。
【００６５】
そこで、本発明では絞りより像面側に、物体側に凹面を向けた２つのレンズを配し、そのうち像面側のレンズを負の屈折力とすることでフィールドフラットナーとしての役割を持たせている。そうすることで、コマ収差を補正しつつ、大口径レンズで問題となりやすい球面収差や非点収差を良好に補正することが可能となる。条件式（７）はその望ましい範囲を規定している。
【００６６】
条件式（７）の上限を超えて、屈折面Ｓｍ２の曲率半径が小さくなると、非点収差の補正では有利に働くが、軸外マージナル光線の入射角度がきつくなってしまうため、アンダーのコマフレアを抑えることができなくなる。
【００６７】
一方で、条件式（７）の下限を超えて、屈折面Ｓｍ２の曲率半径が大きくなるとこの面が担うべき非点収差の補正量が足りなくなり、フィールドフラットナーとしての役割を果たすことができなくなる。
【００６８】
なお、条件式（７）について、上記の効果をより確実にするために、下限値を０．５５に、上限値を０．８５とすることが好ましい。
【００６９】
本実施例の大口径レンズは、前記第１レンズ群Ｇ１の最も物体側において、物体側に凸面を向けた正の屈折力のレンズを有することを特徴とする。
【００７０】
一般的に大口径レンズは、物体側のレンズの有効径が大きいため、全体の重量のうち最も物体側にあるレンズ群が占める重量の割合が大きくなる。そのため、全系の重量の削減のためには、最も物体側のレンズ群のレンズ径を小さくすることが効果的である。
【００７１】
また、フォーカシングを高速に行うためには、フォーカスレンズ群である第２レンズ群Ｇ２の重量を小さくする必要があり、そのためには第２レンズ群Ｇ２における軸上マージナル光線高を下げる必要がある。
【００７２】
第１レンズ群Ｇ１の最も物体側のレンズを負の屈折力のレンズとする場合、軸上マージナル光線が跳ね上げられるため、全系のレンズ径が肥大化してしまい、全系の重量を抑えつつ高速なフォーカシングが可能な光学系とすることが困難になる。
【００７３】
一方で、第１レンズ群Ｇ１の最も物体側のレンズを物体側に凸面を向けた正の屈折力のレンズとする場合、第１レンズ群Ｇ１に含まれる負の屈折力のレンズの曲率を大きくしてもレンズ径の大きさを抑制できるため、全系の重量を増加させずに非点収差や歪曲収差等をレンズ群内で抑えることが可能となる。
【００７４】
また、本実施例の大口径レンズは、前記第２レンズ群Ｇ２は、少なくとも１つの非球面レンズを有することを特徴とする。
【００７５】
球面収差の補正を目的として第２レンズ群Ｇ２に非球面レンズを配することが望ましい。非球面レンズを採用することにより、正の屈折力のレンズで発生する球面収差を負の屈折力のレンズで補正する際に、負の屈折力のレンズの収差補正の負担を減少させることができる。
【００７６】
その結果、負の屈折力のレンズの屈折力を弱くすることができ、物体側に凹面を向けた面の曲率を小さくすることができるため、コマ収差やサジタルコマフレアの発生を抑えることが可能となる。
【００７７】
なお、この非球面レンズは絞りより物体側に配置すると上記作用を効果的に得ることができるが、絞りより物体側では軸上光線高が高いため、この場合、大口径な非球面レンズが必要となり、加工コストの増大を招くため好ましくない。これに対して、非球面レンズを絞りより像面側に配置することでレンズ径を小さくでき、非球面レンズの加工性の点から有利である。
【００７８】
また、この非球面レンズの非球面形状は、正の屈折力で発生する球面収差の補正を行なうため、光軸から離れるにしたがって正の屈折力を弱める非球面とするか、光軸から離れるにしたがって負の屈折力を強める非球面とすることが好ましい。
【００７９】
次に、本発明の大口径レンズに係る実施例のレンズ構成と数値実施例について説明する。なお、以下の説明ではレンズ構成を物体側から像面側の順番で記載する。
【００８０】
［面データ］において、面番号は物体側から数えたレンズ面または開口絞りの番号、ｒは各レンズ面の曲率半径、ｄは各レンズ面の間隔、ｎｄはｄ線（波長５８７．５６ｎｍ）に対する屈折率、ｖｄはｄ線に対するアッベ数、PｇＦは部分分散比を示している。
【００８１】
面番号に付した＊（アスタリスク）は、そのレンズ面形状が非球面であることを示している。また、ＢＦはバックフォーカスを表している。
【００８２】
面番号に付した（絞り）は、その位置に開口絞りが位置していることを示している。平面または開口絞りに対する曲率半径には∞（無限大）を記入している。
【００８３】
［非球面データ］には、［面データ］において＊を付したレンズ面の非球面形状を与える各係数の値を示している。非球面の形状は、下記の式で表される。以下の式において、光軸に直交する方向への光軸からの変位をｙ、非球面と光軸の交点から光軸方向への変位（サグ量）をｚ、基準球面の曲率半径をｒ、コーニック係数をＫで表している。また、４、６、８、１０、１２次の非球面係数をそれぞれＡ４、Ａ６、Ａ８、Ａ１０、Ａ１２で表している。
【００８４】
2018005099.tif 000003
【００８５】
［各種データ］には、無限遠合焦時における焦点距離等の値を示している。
【００８６】
［可変間隔データ］には、各撮影距離状態における可変間隔及びＢＦの値を示している。
【００８７】
［レンズ群データ］には、各レンズ群を構成する最も物体側のレンズ面番号及びレンズ群全体の合成焦点距離を示している。
【００８８】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【実施例１】
【００８９】
図１は、実施例１に係る大口径レンズの無限遠合焦時のレンズ構成図である。
【００９０】
図１の大口径レンズは、無限遠物体から近距離物体へのフォーカシングの際に、像面に対し固定の正の屈折力の第１レンズ群Ｇ１と、フォーカシングの際に像面側から物体側へ移動する正の屈折力の第２レンズ群Ｇ２から構成される。
【００９１】
第１レンズ群Ｇ１は、物体側に凸面を向けた正メニスカスレンズ、物体側に凸面を向けた正メニスカスレンズと物体側に凸面を向けた負メニスカスレンズＬｍ１の２枚からなる接合レンズ、両凹形状の負レンズ、両凹形状の負レンズＬｍ２、両凸形状の正レンズＬｐ２、両凸形状の正レンズＬｐ１から構成される。
【００９２】
第２レンズ群Ｇ２は、正の屈折力の第２Ａレンズ群Ｇ２Ａ、開口絞りＳ、正の屈折力の第２Ｂレンズ群Ｇ２Ｂから構成され、無限遠物体から近距離物体へのフォーカシングの際には、第２Ａレンズ群Ｇ２Ａと第２Ｂレンズ群Ｇ２Ｂは一体となって像面側から物体側へ移動する。
【００９３】
第２Ａレンズ群Ｇ２Ａは、物体側に凸面を向けた正メニスカスレンズ、物体側に凸面を向けた正メニスカスレンズと物体側に凸面を向けた負メニスカスレンズの２枚からなる接合レンズから構成される。
【００９４】
第２Ｂレンズ群Ｇ２Ｂは、両凹形状で物体側のレンズ面が屈折面Ｓｍ１である負レンズと両凸形状の正レンズからなる接合レンズ、両凹形状で物体側のレンズ面が屈折面Ｓｍ２である負レンズ、両レンズ面が非球面形状である両凸形状の正レンズから構成される。
【００９５】
数値実施例１
単位：mm
［面データ］
面番号       r              d             nd           vd            PgF
物面             ∞           (d0)
1        108.0180         5.2096        1.83481        42.72        0.5646
2        228.9981         0.1500
3         70.5874         9.5508        1.59282        68.62        0.5440
4        427.8716         1.9877        1.61340        44.27        0.5633
5         53.9116        10.8732
6       -397.6081         1.7031        1.54814        45.82        0.5699
7        287.8138         5.3074
8       -144.4601         1.6985        1.73800        32.26        0.5898
9        144.4601         5.3228
10        334.4430         3.8524        1.92286        20.88        0.6388
11       -529.3902         1.0000
12         76.6709        10.1634        1.49700        81.61        0.5387
13       -205.2843          (d13)
14         62.9651         4.5258        1.88300        40.80        0.5654
15        120.1023         0.1500
16         31.7566         9.0246        1.80420        46.50        0.5571
17         76.5961         1.2643        1.73800        32.26        0.5898
18         23.2599        10.9387
（絞り）           ∞         4.7987
20        -56.0955         0.9536        1.73800        32.26        0.5898
21         31.3349         7.4056        1.88300        40.80        0.5654
22       -170.7874         2.9841
23        -54.9942         2.3550        1.64769        33.84        0.5923
24        217.6652         0.1500
25*        85.2890         8.0000        1.85135        40.10        0.5694
26*       -54.0642          (d26)
27              ∞         1.4500        1.52301        58.59        0.5449
28              ∞             BF
像面             ∞
［非球面データ］
25面           26面
K          0.000000       0.000000
A4         -1.473089E-06   2.140059E-06
A6          1.381523E-10  -1.260138E-09
A8          2.077557E-11   2.708648E-11
A10        -7.423427E-14  -9.869988E-14
A12         1.589502E-16   1.951291E-16
［各種データ］
INF
焦点距離             83.50
Fナンバー             1.46
全画角2ω            28.92
像高Y              21.63
レンズ全長           165.50
［可変間隔データ］
INF       撮影距離849mm
d0                   ∞       683.3000
d13             16.5967         6.2796
d26             37.0800        47.3970
BF               1.0000         1.0000
［レンズ群データ］
群            始面         焦点距離
Ｇ１             1               320.03
Ｇ２            14                89.83
Ｇ２Ａ           14               174.70
Ｇ２Ｂ           19               104.99
【実施例２】
【００９６】
図６は、実施例２に係る大口径レンズの無限遠合焦時のレンズ構成図である。
【００９７】
図６の大口径レンズは、無限遠物体から近距離物体へのフォーカシングの際に、像面に対し固定の正の屈折力の第１レンズ群Ｇ１と、フォーカシングの際に像面側から物体側へ移動する正の屈折力の第２レンズ群Ｇ２から構成される。
【００９８】
第１レンズ群Ｇ１は、物体側に凸面を向けた正メニスカスレンズ、物体側に凸面を向けた正メニスカスレンズＬｐ１、物体側に凸面を向けた負メニスカスレンズＬｍ１、両凹形状の負レンズ、物体側に凸面を向けた平凸レンズＬｐ２、両凸形状の正レンズＬｐ１から構成される。
【００９９】
第２レンズ群Ｇ２は、正の屈折力の第２Ａレンズ群Ｇ２Ａ、開口絞りＳ、正の屈折力の第２Ｂレンズ群Ｇ２Ｂから構成され、無限遠物体から近距離物体へのフォーカシングの際には、第２Ａレンズ群Ｇ２Ａと第２Ｂレンズ群Ｇ２Ｂは一体となって像面側から物体側へ移動する。
【０１００】
第２Ａレンズ群Ｇ２Ａは、物体側に凸面を向けた正メニスカスレンズ、物体側に凸面を向けた正メニスカスレンズ、物体側に凸面を向けた負メニスカスレンズから構成される。
【０１０１】
第２Ｂレンズ群Ｇ２Ｂは、両凹形状で物体側のレンズ面が屈折面Ｓｍ１である負レンズと両凸形状の正レンズからなる接合レンズ、両凹形状で物体側のレンズ面が屈折面Ｓｍ２である負レンズ、両レンズ面が非球面形状である両凸形状の正レンズから構成される。
【０１０２】
数値実施例２
単位：mm
［面データ］
面番号       r              d             nd           vd            PgF
物面             ∞           (d0)
1         80.3912         5.1058        1.80420        46.50        0.5571
2        127.1974         0.1500
3         72.4577         7.4631        1.45860        90.19        0.5350
4        165.7074         1.2201
5        145.3036         2.4264        1.61340        44.27        0.5633
6         52.2429        12.9634
7       -142.5551         1.7248        1.69895        30.05        0.6028
8        128.3074         6.4074
9        287.4070         3.3270        1.98612        16.48        0.6657
10              ∞         1.0000
11         69.7914        10.5993        1.45860        90.19        0.5350
12       -269.5342          (d12)
13         76.9868         4.7535        1.88300        40.80        0.5654
14        191.6702         0.1500
15         32.9949         9.4626        1.80420        46.50        0.5571
16         88.6586         1.5933
17        103.5600         1.7183        1.73800        32.26        0.5898
18         23.4452        10.4386
（絞り）           ∞         4.6804
20        -57.1023         0.9377        1.73800        32.26        0.5898
21         30.0748         7.7903        1.83481        42.72        0.5646
22       -115.7764         2.3218
23        -49.9739         2.2192        1.62004        36.30        0.5872
24        250.6316         0.1505
25*        87.0385         8.0000        1.85135        40.10        0.5694
26*       -53.1080          (d26)
27              ∞         1.4500        1.52301        58.59        0.5449
28              ∞             BF
像面             ∞
［非球面データ］
25面           26面
K          0.000000       0.000000
A4         -1.679331E-06   1.665451E-06
A6         -2.122071E-10  -1.388479E-09
A8          3.463682E-12   5.936169E-12
A10        -1.957210E-15  -5.010397E-15
A12         0.000000E+00   0.000000E+00
［各種データ］
INF
焦点距離             83.54
Fナンバー             1.47
全画角2ω            28.88
像高Y              21.63
レンズ全長           160.52
［可変間隔データ］
INF       撮影距離844mm
d0                   ∞       683.3000
d12             14.3836         4.0620
d26             37.0800        47.4015
BF               1.0000         1.0000
［レンズ群データ］
群            始面         焦点距離
Ｇ１             1               363.10
Ｇ２            13                89.87
Ｇ２Ａ           13               185.54
Ｇ２Ｂ           19                95.73
【実施例３】
【０１０３】
図１１は、実施例３に係る大口径レンズの無限遠合焦時のレンズ構成図である。
【０１０４】
図１１の大口径レンズは、無限遠物体から近距離物体へのフォーカシングの際に、像面に対し固定の正の屈折力の第１レンズ群Ｇ１と、フォーカシングの際に像面側から物体側へ移動する正の屈折力の第２レンズ群Ｇ２から構成される。
【０１０５】
第１レンズ群Ｇ１は、物体側に凸面を向けた正メニスカスレンズＬｐ１、物体側に凸面を向けた正メニスカスレンズＬｐ１、物体側に凸面を向けた負メニスカスレンズ、両凹形状の負レンズＬｍ１と物体側に凸面を向けた正メニスカスレンズからなる接合レンズ、両凸形状の正レンズＬｐ２から構成される。
【０１０６】
第２レンズ群Ｇ２は、正の屈折力の第２Ａレンズ群Ｇ２Ａ、開口絞りＳ、正の屈折力の第２Ｂレンズ群Ｇ２Ｂから構成され、無限遠物体から近距離物体へのフォーカシングの際には、第２Ａレンズ群Ｇ２Ａと第２Ｂレンズ群Ｇ２Ｂは一体となって像面側から物体側へ移動する。
【０１０７】
第２Ａレンズ群Ｇ２Ａは、物体側に凸面を向けた正メニスカスレンズ、物体側に凸面を向けた正メニスカスレンズと物体側に凸面を向けた負メニスカスレンズからなる接合レンズから構成される。
【０１０８】
第２Ｂレンズ群Ｇ２Ｂは、両凹形状で物体側のレンズ面が屈折面Ｓｍ１である負レンズと両凸形状の正レンズからなる接合レンズ、両凹形状で物体側のレンズ面が屈折面Ｓｍ２である負レンズと両凸形状の正レンズからなる接合レンズ、両レンズ面が非球面形状である像面側に凸面を向けた正メニスカスレンズから構成される。
【０１０９】
数値実施例３
単位：mm
［面データ］
面番号       r              d             nd           vd            PgF
物面             ∞           (d0)
1        129.6234         5.1244        1.59282        68.62        0.5440
2        388.6185         0.1500
3         66.4812         7.0326        1.59282        68.62        0.5440
4        135.7949         2.6387
5        179.5819         1.8932        1.54072        47.20        0.5677
6         49.5879        13.2668
7       -125.9734         1.7307        1.73800        32.26        0.5898
8         44.2182        11.2944        1.72916        54.67        0.5452
9        367.6648         1.0005
10         85.9993         7.6949        1.80809        22.76        0.6285
11       -674.5276          (d11)
12         77.7400         4.4633        1.83481        42.72        0.5646
13        205.5764         0.1500
14         32.7511         8.2255        1.80420        46.50        0.5571
15         91.3457         1.2693        1.73800        32.26        0.5898
16         24.5320        10.6078
（絞り）           ∞         4.8474
18        -56.8372         0.9699        1.73800        32.26        0.5898
19         48.8821         6.2233        1.88300        40.80        0.5654
20       -121.8546         2.1914
21        -56.0967         1.0008        1.64769        33.84        0.5923
22         37.7052         5.9241        1.88300        40.80        0.5654
23       -148.3544         1.5104
24*      -192.6161         5.0000        1.85135        40.10        0.5694
25*       -60.1694          (d25)
26              ∞         1.4500        1.52301        58.59        0.5449
27              ∞             BF
像面             ∞
［非球面データ］
24面           25面
K          0.000000       0.000000
A4         -6.691731E-07   2.375045E-06
A6          1.231483E-09   1.142373E-10
A8          2.335687E-11   2.569350E-11
A10        -8.515821E-15  -8.657905E-15
A12         0.000000E+00   0.000000E+00
［各種データ］
INF
焦点距離             83.50
Fナンバー             1.47
全画角2ω            28.72
像高Y              21.63
レンズ全長           161.52
［可変間隔データ］
INF       撮影距離845mm
d0                   ∞       683.3000
d11             17.7842         7.2898
d25             37.0800        47.5744
BF               1.0000         1.0000
［レンズ群データ］
群            始面         焦点距離
Ｇ１             1               298.32
Ｇ２            12                89.41
Ｇ２Ａ           12               176.39
Ｇ２Ｂ           17               108.22
【実施例４】
【０１１０】
図１６は、実施例４に係る大口径レンズの無限遠合焦時のレンズ構成図である。
【０１１１】
図１６の大口径レンズは、無限遠物体から近距離物体へのフォーカシングの際に、像面に対し固定の正の屈折力の第１レンズ群Ｇ１と、フォーカシングの際に像面側から物体側へ移動する正の屈折力の第２レンズ群Ｇ２から構成される。
【０１１２】
第１レンズ群Ｇ１は、物体側に凸面を向けた正メニスカスレンズ、物体側に凸面を向けた正メニスカスレンズＬｐ１、物体側に凸面を向けた負メニスカスレンズＬｍ１、両凹形状の負レンズＬｍ２、両凹形状の負レンズＬｍ３、両凸形状の正レンズＬｐ２、両凸形状の正レンズＬｐ１から構成される。
【０１１３】
第２レンズ群Ｇ２は、正の屈折力の第２Ａレンズ群Ｇ２Ａ、開口絞りＳ、正の屈折力の第２Ｂレンズ群Ｇ２Ｂから構成され、無限遠物体から近距離物体へのフォーカシングの際には、第２Ａレンズ群Ｇ２Ａと第２Ｂレンズ群Ｇ２Ｂは別々の移動速度で像面側から物体側へ移動する。
【０１１４】
第２Ａレンズ群Ｇ２Ａは、物体側に凸面を向けた正メニスカスレンズ、物体側に凸面を向けた正メニスカスレンズと物体側に凸面を向けた負メニスカスレンズからなる接合レンズから構成される。
【０１１５】
第２Ｂレンズ群Ｇ２Ｂは、両凹形状で物体側のレンズ面が屈折面Ｓｍ１である負レンズと両凸形状の正レンズからなる接合レンズ、両凹形状で物体側のレンズ面が屈折面Ｓｍ２である負レンズ、両レンズ面が非球面形状である両凸形状の正レンズから構成される。
【０１１６】
数値実施例４
単位：mm
［面データ］
面番号       r              d             nd           vd            PgF
物面             ∞           (d0)
1        104.0442         4.4464        1.72916        54.67        0.5452
2        167.8974         0.1500
3         61.9455         9.6589        1.55032        75.50        0.5399
4        154.9253         0.4340
5        122.6403         2.8438        1.61340        44.27        0.5633
6         54.8348        12.7043
7       -143.9032         1.7088        1.73800        32.26        0.5898
8        223.6970         4.9280
9       -208.5938         1.7316        1.73800        32.26        0.5898
10        208.5938         4.3329
11        304.2910         4.7667        1.92286        20.88        0.6388
12       -304.2910         1.0000
13        109.7199         9.4961        1.55032        75.50        0.5399
14       -142.6359          (d14)
15         55.3534         4.4778        1.88300        40.80        0.5654
16         91.4164         0.1508
17         32.7021         8.4339        1.80420        46.50        0.5571
18         56.2353         1.6471        1.69895        30.05        0.6028
19         23.7920          (d19)
（絞り）           ∞         4.7467
21        -57.4621         1.3979        1.73800        32.26        0.5898
22         30.4304         7.8411        1.88300        40.80        0.5654
23       -286.5983         2.1988
24        -73.5440         1.4194        1.67270        32.17        0.5962
25        116.0752         0.5209
26*        74.3249         8.0000        1.85135        40.10        0.5694
27*       -55.4665          (d27)
28              ∞         1.4500        1.52301        58.59        0.5449
29              ∞             BF
像面             ∞
［非球面データ］
26面           27面
K          0.000000       0.000000
A4         -2.314554E-06   1.341936E-06
A6         -6.999263E-10  -1.267249E-09
A8          0.000000E+00   0.000000E+00
A10         0.000000E+00   0.000000E+00
A12         0.000000E+00   0.000000E+00
［各種データ］
INF
焦点距離             83.44
Fナンバー             1.46
全画角2ω            29.13
像高Y              21.63
レンズ全長           166.36
［可変間隔データ］
INF       撮影距離848mm
d0                   ∞       681.5000
d14             16.6759         6.0661
d19             11.1146        11.3807
d27             37.0799        47.4637
BF               1.0000         1.0000
［レンズ群データ］
群            始面         焦点距離
Ｇ１             1               277.79
Ｇ２            15                94.56
Ｇ２Ａ           15               181.64
Ｇ２Ｂ           20               113.78
【実施例５】
【０１１７】
図２１は、実施例５に係る大口径レンズの無限遠合焦時のレンズ構成図である。
【０１１８】
図２１の大口径レンズは、無限遠物体から近距離物体へのフォーカシングの際に、像面に対し固定の正の屈折力の第１レンズ群Ｇ１と、フォーカシングの際に像面側から物体側へ移動する正の屈折力の第２レンズ群Ｇ２から構成される。
【０１１９】
第１レンズ群Ｇ１は、物体側に凸面を向けた正メニスカスレンズＬｐ２、物体側に凸面を向けた正メニスカスレンズＬｐ１、物体側に凸面を向けた負メニスカスレンズＬｍ１、両凹形状の負レンズＬｍ２と両凸形状の正レンズからなる接合レンズ、物体側に凸面を向けた正メニスカスレンズから構成される。
【０１２０】
第２レンズ群Ｇ２は、正の屈折力の第２Ａレンズ群Ｇ２Ａ、開口絞りＳ、正の屈折力の第２Ｂレンズ群Ｇ２Ｂから構成され、無限遠物体から近距離物体へのフォーカシングの際には、第２Ａレンズ群Ｇ２Ａと第２Ｂレンズ群Ｇ２Ｂは一体となって像面側から物体側へ移動する。
【０１２１】
第２Ａレンズ群Ｇ２Ａは、物体側に凸面を向けた正メニスカスレンズ、物体側に凸面を向けた正メニスカスレンズと物体側に凸面を向けた負メニスカスレンズからなる接合レンズから構成される。
【０１２２】
第２Ｂレンズ群Ｇ２Ｂは、両凹形状で物体側のレンズ面が屈折面Ｓｍ１である負レンズと両凸形状の正レンズからなる接合レンズ、両凹形状で物体側のレンズ面が屈折面Ｓｍ２である負レンズと両凸形状の正レンズからなる接合レンズ、両レンズ面が非球面形状である像面側に凸面を向けた正メニスカスレンズから構成される。
【０１２３】
数値実施例５
単位：mm
［面データ］
面番号       r              d             nd           vd            PgF
物面             ∞           (d0)
1        146.0289         4.1719        1.92286        20.88        0.6388
2        328.8858         0.1500
3         64.9702         9.2754        1.43700        95.10        0.5335
4        290.4683         1.5359
5        278.6202         1.8739        1.73800        32.26        0.5898
6         57.9301        11.9467
7       -123.0990         1.7416        1.65412        39.62        0.5736
8         52.3054        12.2854        1.72916        54.67        0.5452
9       -242.0377         1.0000
10         62.0533         4.0444        1.80809        22.76        0.6285
11         87.8751          (d11)
12         75.4541         4.4315        1.91082        35.25        0.5821
13        188.4556         0.1500
14         33.0216         9.2295        1.72916        54.67        0.5452
15        177.6957         1.2630        1.73800        32.26        0.5898
16         25.1881        10.0882
（絞り）           ∞         4.9328
18        -53.8221         0.9618        1.74077        27.76        0.6076
19         41.7012         6.6796        1.88300        40.80        0.5654
20       -122.3119         2.1708
21        -56.6353         1.0000        1.51680        64.20        0.5342
22         36.3843         5.4685        1.80420        46.50        0.5571
23       -486.9016         0.9651
24*      -388.8661         5.0000        1.85135        40.10        0.5694
25*       -62.2981          (d25)
26              ∞         1.4500        1.52301        58.59        0.5449
27              ∞             BF
像面             ∞
［非球面データ］
24面           25面
K          0.000000       0.000000
A4         -1.010028E-06   2.580705E-06
A6          3.774320E-09   2.874951E-09
A8          2.325378E-11   2.349002E-11
A10         7.082329E-15   1.486692E-14
A12         0.000000E+00   0.000000E+00
［各種データ］
INF
焦点距離             83.51
Fナンバー             1.46
全画角2ω            28.75
像高Y              21.63
レンズ全長           157.23
［可変間隔データ］
INF       撮影距離841mm
d0                   ∞       683.3000
d11             17.3378         6.9248
d25             37.0800        47.4930
BF               1.0000         1.0000
［レンズ群データ］
群            始面         焦点距離
Ｇ１             1               343.06
Ｇ２            12                85.50
Ｇ２Ａ           12               180.96
Ｇ２Ｂ           17                97.68
【実施例６】
【０１２４】
図２６は、実施例６に係る大口径レンズの無限遠合焦時のレンズ構成図である。
【０１２５】
図２６の大口径レンズは、無限遠物体から近距離物体へのフォーカシングの際に、像面に対し固定の正の屈折力の第１レンズ群Ｇ１と、フォーカシングの際に像面側から物体側へ移動する正の屈折力の第２レンズ群Ｇ２から構成される。
【０１２６】
第１レンズ群Ｇ１は、物体側に凸面を向けた正メニスカスレンズＬｐ２、物体側に凸面を向けた正メニスカスレンズ、物体側に凸面を向けた負メニスカスレンズ、物体側に凹面を向けた平凹レンズＬｍ１、物体側に凸面を向けた正メニスカスレンズＬｐ１から構成される。
【０１２７】
第２レンズ群Ｇ２は、正の屈折力の第２Ａレンズ群Ｇ２Ａ、開口絞りＳ、正の屈折力の第２Ｂレンズ群Ｇ２Ｂから構成され、無限遠物体から近距離物体へのフォーカシングの際には、第２Ａレンズ群Ｇ２Ａと第２Ｂレンズ群Ｇ２Ｂは別々の移動速度で像面側から物体側へ移動する。
【０１２８】
第２Ａレンズ群Ｇ２Ａは、物体側に凸面を向けた正メニスカスレンズ、物体側に凸面を向けた正メニスカスレンズと物体側に凸面を向けた負メニスカスレンズからなる接合レンズから構成される。
【０１２９】
第２Ｂレンズ群Ｇ２Ｂは、両凹形状で物体側のレンズ面が屈折面Ｓｍ１である負レンズと物体側に凸面を向けた正メニスカスレンズからなる接合レンズ、両凹形状で物体側のレンズ面が屈折面Ｓｍ２である負レンズ、両レンズ面が非球面形状である両凸形状の正レンズから構成される。
【０１３０】
数値実施例６
単位：mm
［面データ］
面番号       r              d             nd           vd            PgF
物面             ∞           (d0)
1        203.6799         4.7092        1.98612        16.48        0.6657
2        677.9113         0.1500
3         66.0690        10.3433        1.59282        68.62        0.5440
4        163.8560         2.2446
5        207.2689         2.5306        1.84666        23.78        0.6191
6         60.6115        14.6761
7       -204.4567         2.0323        1.61310        44.36        0.5604
8              ∞         0.1500
9         61.3154        10.4558        1.49700        81.61        0.5387
10        285.4995          (d10)
11         58.4521         4.8136        1.83481        42.72        0.5646
12         98.3694         0.1500
13         34.5553         9.0892        1.83481        42.72        0.5646
14         66.3268         1.3878        1.74077        27.76        0.6076
15         24.7956          (d15)
（絞り）           ∞         4.4148
17        -76.2930         1.2974        1.61310        44.36        0.5604
18         33.7597         8.2786        1.88300        40.80        0.5654
19        275.9716         3.3189
20        -67.6392         1.7530        1.67270        32.17        0.5962
21        183.8387         0.1503
22*        77.1835         7.4669        1.85135        40.10        0.5694
23*       -70.8782          (d23)
24              ∞         1.4500        1.52301        58.59        0.5449
25              ∞             BF
像面             ∞
［非球面データ］
22面           23面
K          0.000000       0.000000
A4         -2.287818E-06   1.245935E-06
A6          6.603720E-10  -1.080248E-11
A8          0.000000E+00   0.000000E+00
A10         0.000000E+00   0.000000E+00
A12         0.000000E+00   0.000000E+00
［各種データ］
INF
焦点距離            104.76
Fナンバー             1.46
全画角2ω            22.99
像高Y              21.63
レンズ全長           164.26
［可変間隔データ］
INF      撮影距離1164mm
d0                   ∞      1000.0000
d10             24.3767        10.0722
d15             11.5242        15.5868
d23             36.5000        46.7419
BF               1.0000         1.0000
［レンズ群データ］
群            始面         焦点距離
Ｇ１             1               291.25
Ｇ２            11               112.70
Ｇ２Ａ           11               223.55
Ｇ２Ｂ           18               142.98
【０１３１】
以下に上記の各実施例に対応する条件式対応値を示す。
［条件式対応値］
条件式／実施例                               1         2         3
（１）ＰｇＦＬｐ１／νｄＬｐ１                      0.0066    0.0059    0.0079
（２）ＰｇＦＬｐ２／νｄＬｐ２                      0.0306    0.0404    0.0276
（３）（ｆＬｐ２／νｄＬｐ２）／ｆ                   0.033     0.049     0.014
（４）ΔＰｇＦＬｍ１                               -0.0053   -0.0053   -0.0005
ΔＰｇＦＬｍ２                               -0.0005         -         -
ΔＰｇＦＬｍ３                                     -         -         -
（５）νｄＬｐ１／νｄＬｍ１                          1.84      2.04      2.13
νｄＬｐ１／νｄＬｍ２                          2.53         -         -
νｄＬｐ１／νｄＬｍ３                             -         -         -
（６）ΔＰｇＦＧ１ａｖ／νｄＧ                     0.00036   0.00057   0.00026
（７）（１／ＲＳｍ２）／（φＳｍ１＋φＳｍ２）        0.73      0.79      0.73
条件式／実施例                               4         5         6
（１）ＰｇＦＬｐ１／νｄＬｐ１                      0.0072    0.0056    0.0066
（２）ＰｇＦＬｐ２／νｄＬｐ２                      0.0306    0.0306    0.0404
（３）（ｆＬｐ２／νｄＬｐ２）／ｆ                   0.029     0.039     0.061
（４）ΔＰｇＦＬｍ１                               -0.0053   -0.0005   -0.0081
ΔＰｇＦＬｍ２                               -0.0005   -0.0034         -
ΔＰｇＦＬｍ３                               -0.0005         -         -
（５）νｄＬｐ１／νｄＬｍ１                          1.71      2.95      1.84
νｄＬｐ１／νｄＬｍ２                          2.34      2.40         -
νｄＬｐ１／νｄＬｍ３                          2.34         -         -
（６）ΔＰｇＦＧ１ａｖ／νｄＧ                     0.00035   0.00052   0.00062
（７）（１／ＲＳｍ２）／（φＳｍ１＋φＳｍ２）        0.62      0.77      0.82
【符号の説明】
【０１３２】
Ｇ１      第１レンズ群
Ｇ２      第２レンズ群
Ｇ２Ａ    第２Ａレンズ群
Ｇ２Ｂ    第２Ｂレンズ群
Ｌｐ１    第１レンズ群Ｇ１でｄ線のアッベ数が最も大きな正の屈折力のレンズ
Ｌｐ２    第１レンズ群Ｇ１でｄ線のアッベ数が最も小さな正の屈折力のレンズ
Ｌｍｊ    第１レンズ群Ｇ１で条件式（４）乃至（５）を満足する負の屈折力のレンズ（ｊは１以上の整数）
Ｓｍ１    第２Ｂレンズ群Ｇ２Ｂで最も物体側の物体側に凹面を向けた屈折面
Ｓｍ２    第２Ｂレンズ群Ｇ２Ｂで物体側に凹面を向けた屈折面
Ｓ        開口絞り
ＬＰＦ    ローパスフィルター
Ｉ        像面
【図１】
2018005099.tif 000004
【図２】
2018005099.tif 000005
【図３】
2018005099.tif 000006
【図４】
2018005099.tif 000007
【図５】
2018005099.tif 000008
【図６】
2018005099.tif 000009
【図７】
2018005099.tif 000010
【図８】
2018005099.tif 000011
【図９】
2018005099.tif 000012
【図１０】
2018005099.tif 000013
【図１１】
2018005099.tif 000014
【図１２】
2018005099.tif 000015
【図１３】
2018005099.tif 000016
【図１４】
2018005099.tif 000017
【図１５】
2018005099.tif 000018
【図１６】
2018005099.tif 000019
【図１７】
2018005099.tif 000020
【図１８】
2018005099.tif 000021
【図１９】
2018005099.tif 000022
【図２０】
2018005099.tif 000023
【図２１】
2018005099.tif 000024
【図２２】
2018005099.tif 000025
【図２３】
2018005099.tif 000026
【図２４】
2018005099.tif 000027
【図２５】
2018005099.tif 000028
【図２６】
2018005099.tif 000029
【図２７】
2018005099.tif 000030
【図２８】
2018005099.tif 000031
【図２９】
2018005099.tif 000032
【図３０】
2018005099.tif 000033